(57)【要約】【課題】内部にＬＥＤ光源を有し、障子紙を透過した光を室内に与えることの可能な光源付き建具を提供することを課題とする。【解決手段】建具１は、矩形状に形成された木製の枠体２と、枠体２の内側の枠内空間３を所定の間隔で縦方向に略平行に沿って分割し、合計で七カ所の区画領域４を形成するための６本の組子５と、枠体２及び組子５に貼着される障子紙と、組子５の組子下端５ａと枠体２の下枠７との間の光源収容空間１４に収容される、枠体２の幅方向に略一致する長さの直管状のＬＥＤ光源９とを具備する。【選択図】図１
2011026833.tif 000002
【特許請求の範囲】
【請求項１】
矩形状の枠体と、
前記枠体の枠内空間を区画する組子と、
前記枠体及び前記組子の表面及び裏面の少なくとも一方に貼着される障子紙と、
前記枠内空間に収容され、前記枠内空間から外部に対し、前記障子紙を透過させて光を照射可能なＬＥＤ光源と
を具備することを特徴とする光源付き建具。
【請求項２】
前記枠体に少なくとも一辺に設けられ、互いに隣接する前記枠体同士の間の角度を変位可能に連結する連結部材と
をさらに具備することを特徴とする請求項１に記載の光源付き建具。
【請求項３】
前記枠体に取設され、壁掛け可能な壁掛部材をさらに具備することを特徴とする請求項１または請求項２に記載の光源付き建具。
【請求項４】
前記障子紙は、
表面または内部の少なくとも一部に光触媒を含有していることを特徴とする請求項１乃至請求項３のいずれか一つに記載の光源付き建具。
【請求項５】
前記障子紙は、
柿渋、漆、墨、胡粉、蝋、及び草木染料の少なくとも一つを利用し、障子紙表面に対して装飾加工を施してなることを特徴とする請求項１乃至請求項４のいずれか一つに記載の光源付き建具。
【発明の詳細な説明】
【技術分野】
【０００１】
本発明は、光源付き建具に関するものであり、特に、内部にＬＥＤ光源を備え、障子、襖、屏風等の建具の内部から光を照射し、表面・裏面に貼着された光透過性の障子紙を通して室内に穏やかな光を供給可能な光源付き建具に関するものである。
【背景技術】
【０００２】
従来から、日本古来の伝統的な日本家屋において、窓、室内の部屋同士の仕切り、或いは縁側等における屋外空間と屋内空間とを仕切る建具として、一般的に障子が主に用いられてる。さらに、日本家屋では、室内の部屋同士を仕切るものとして襖も多用されてきた。しかしながら、近年の建築様式の近代化及び生活スタイルの変化によって、新たに建築される住宅の中で和室を設けることが比較的少なくなり、これに伴って上述の障子や襖等の日本古来からの伝統的な建具の使用も著しく低下していた。
【０００３】
ここで、障子は、光を透過する性質を有する半透明の和紙が使用され、係る素材によって直射日光を遮るとともに、適度な明るさの光を室内に取り入ることが可能なものである。さらに、係る遮蔽と同時に、太陽光の熱を吸収することができるため、太陽熱の室内への流入を防ぐ等の断熱効果が、近年のアルミサッシ等の現代的な建具に比べて大きいことが知られている。さらに、使用する素材が主に和紙や木材等であるため、吸湿性に優れている利点も有している。そのため、室内の温度変化及び湿度変化を一定の範囲に保つことができ、近年の環境問題、省エネルギー化の点でも優れた機能を有する素材であることが知られている。なお、襖の場合にも断熱性や吸湿性に優れる利点を有している。
【発明の概要】
【発明が解決しようとする課題】
【０００４】
しかしながら、上記利点を有するにもかかわらず、より簡便性の高いガラスやアルミサッシ等の現代的な建具を使用する機会が多くなり、日本の伝統的な建具の使用は益々低下しているのが現状である。
【０００５】
そのため、特に、障子紙を通して見る光の変化の楽しさ（模様・光の表情の変化）を十分に感じることができないことがあった。特に、季節や時間帯によって刻々と変化する障子紙を透過した光の変化をじっくりと味わう機会が減ってきている。
【０００６】
そこで、これらの障子等の建具の有する情緒深い光の変化の楽しみを簡易的に味わうことを可能とする建具の試みが進められている。特に、近年の技術開発の進歩によって、従来型の白熱灯等の電球に比べ、熱を発することがほとんどなく、高寿命を維持することのできる光源としてのＬＥＤの開発が進められ、そのコストも年々減少する傾向にある。そのため、係るＬＥＤを光源として使用して新たな障子等の建具の開発が進められている。
【０００７】
本発明は、上記実情に鑑み、内部にＬＥＤ光源を有し、障子紙を透過した光を室内に与えることの可能な光源付き建具の提供を課題とするものである。
【課題を解決するための手段】
【０００８】
上記の課題を解決するため、本発明の光源付き建具は、「矩形状の枠体と、前記枠体の枠内空間を区画する組子と、前記枠体及び前記組子の表面及び裏面の少なくとも一方に貼着される障子紙と、前記枠内空間に収容され、前記枠内空間から外部に対し、前記障子紙を透過させて光を照射可能なＬＥＤ光源と」を具備するものから主に構成されている。
【０００９】
ここで、建具とは、障子、襖、及び屏風等を含む包括的な名称として本明細書において用いている。さらに、枠体及び組子とは、例えば、従来の障子と同様に主に木材等から構成され、枠内空間を複数に区画するものである。なお、後述するＬＥＤ光源から発せられた光が全ての区画された領域に到達するように、例えば、縦組子のみを使用するものであっても構わない。さらに、横組子を使用した場合には、後述するＬＥＤ光源を枠体の上下にそれぞれ配置しても構わない。
【００１０】
さらに、障子紙は、特にその種類を限定されるものではないが、例えば、楮や三椏等の天然の原料を使用し、一般的な機械抄きによって抄紙された和紙、或いは手漉きによって一枚ずつ抄紙された手漉き和紙を使用するものであっても、強度や耐久性、さらには防炎性等を備えたレーヨン等の合成樹脂を含んでなる和紙或いは麻等を含む混抄紙を利用するものであっても構わない。これらの係る障子紙の選択は、従来の障子の場合と同様である。なお、ホテルや旅館、或いは公共施設等で使用する場合、火災発生時の延焼を想定し、難燃性素材を含む障子紙を採用することが好適と考えられる。また、障子紙の中には、綿、麻等の天然繊維、或いはレーヨン等の合成樹脂から形成された布或いは布帛が含まれ、これらを利用するものであっても構わない。なお、障子紙は枠体及び組子に対し、通常の障子貼りと同様に、一般的な糊や接着剤を使用することにより貼着される。
【００１１】
一方、ＬＥＤ光源とは、発光ダイオードに電圧を加えた際に発光する半導体素子を利用するものであり、白熱電球に比べて製品寿命が高く、かつ夕方等であっても高い視認性を有することが知られ、近年、信号機等にも採用され、白熱電球や通常の蛍光灯に置換えられて使用されるものである。なお、本発明において採用するＬＥＤ光源は、電球型或いは直管の蛍光灯と同形状のものをそれぞれ任意に選択して使用することができる。なお、蛍光灯形状のＬＥＤの場合、枠体の幅長さに応じたものを選択することにより、組子によって区画された各枠内空間にそれぞれ光を照射することができる。一方、電球型のＬＥＤ光源を使用する場合、それぞれの区画毎にＬＥＤ光源を配置する必要がある。なお、ＬＥＤ光源は、通常の家庭用電源に接続され、スイッチ操作によって点灯及び消灯を切換えることができる。
【００１２】
したがって、本発明の光源付き建具によれば、枠体及び組子によって形成された建具（障子）の骨組みに対し、障子紙が貼着され、通常の障子と同様の態様が形成される。なお、障子紙の貼着は、例えば、枠体及び組子の表面及び裏面に貼着する所謂「太鼓貼り」を行うことにより、枠内空間にＬＥＤ光源を収容した状態で閉塞することができる。一方、後述する壁掛け等の装飾の利用を主とする場合には、表面のみを貼着するものであっても構わない。枠内空間のＬＥＤ光源から照射された光は、光透過性の障子紙によって一部が吸収または枠内空間に反射され、特定の波長のみが障子紙から外部に放出される。これにより、ＬＥＤ光源から照射された光の波長が特定範囲に制限されたものとなる。その結果、自然光に近い、優しい光が間接照明のように室内に与えられることになる。障子紙の貼着は、上記の太鼓貼りに限定されるものではなく、従来から周知の貼り方を採用するものであってももちろん構わない。
【００１３】
加えて、ＬＥＤ光源を使用することにより、白熱電球と比べて熱量の発生を著しく抑えることができる。本発明の光源付き建具を使用した場合であっても、室内温度に影響を与えることがなく、冷房機器を使用する必要が生じることがない。一般的に熱に弱い障子紙に対する影響が少なく、使用時に障子紙自体が熱変形や変色を生じることがない。さらに、ＬＥＤ光源の優れた高寿命性によって長時間に亘って安定的に本発明の光源付き建具を使用することが可能となる。
【００１４】
さらに、本発明の光源付き建具は、上記構成に加え、「前記枠体に少なくとも一辺に設けられ、互いに隣接する前記枠体同士の間の角度を変位可能に連結する連結部材と」を具備するものであっても構わない。
【００１５】
したがって、本発明の光源付き建具によれば、本発明の障子同士を連結部材を介して複数連結することが行われる。ここで、連結部材とは、二つの部材を所定角度の範囲で変位させながら連結可能な蝶番を例示することができる。これにより、少なくとも一対、またはそれ以上の障子を横方向に順次連結することが可能となる。その結果、蝶番等の連結部材で連結し、所定の角度（一般に９０°以下の鋭角）に配することにより、障子紙の面を床面に対して直交させた状態（立設状態）を創生することができる。また、蝶番によって障子紙の障子紙表面同士を密接することにより、折畳が可能となる。これにより、コンパクトな状態で収納可能となる。その結果、本発明の光源付き建具を、屏風のような態様での使用が可能になる。
【００１６】
さらに、本発明の光源付き建具は、上記構成に加え、「前記枠体に取設され、壁掛け可能な壁掛部材」を具備するものであっても構わない。
【００１７】
したがって、本発明の光源付き建具によれば、壁掛部材によって、壁材に吊下げた状態で使用することができる。そのため、例えば、窓に併せて設置することにより、昼間は障子紙の光透過性によってブラインドに似た態様の使用が可能となり、さらに夜間はＬＥＤ光源を点灯することによって、室内を所望の雰囲気に変化させた照明として使用することができる。また、壁材に設置することにより、美術作品のように鑑賞する等、室内を趣深い情況に変化させる使用が可能となる。
【００１８】
さらに、本発明の光源付き建具は、上記構成に加え、「前記障子紙は、表面または内部の少なくとも一部に光触媒を含有している」ものであっても構わない。
【００１９】
したがって、本発明の光源付き建具によれば、二酸化チタン等の光触媒を含有して障子紙が形成されている。これにより、光が照射されることによって発生する強い酸化力によって障子紙の近傍の塵やゴミ等の排除、或いはウイルスや細菌の死滅、さらには臭い成分の除去（消臭）等を行うことが可能となる。
【００２０】
さらに、本発明の光源付き建具は、上記構成に加え、「前記障子紙は、柿渋、漆、墨、胡粉、蝋、及び草木染料の少なくとも一つを利用し、障子紙表面に対して装飾加工を施してなる」ものであっても構わない。
【００２１】
したがって、本発明の光源付き建具によれば、障子紙に種々の装飾加工を施すことにより、障子紙を透過する光によって室内に現れる光の模様（表情）をより豊かなものとすることができる。さらに、室内の環境及び室内居住者のそのときの感情等により、障子紙のタイプを適宜変更するものであっても構わない。なお、柿渋等による装飾加工の手法は、従来から周知であるためここでは説明を省略する。
【発明の効果】
【００２２】
本発明の光源付き建具の効果によれば、建具の枠内空間に設置したＬＥＤ光源によって、発熱量を抑えた状態で和紙等によって光の波長の変化（光の表情を変化）させた光を室内空間に提供することができる。これにより、従来と異なる光を取り入れた室内環境を構築することができる。特に、高寿命、かつ低発熱量のＬＥＤ光源を使用することにより、長期に亘って安定した趣のある光の提供が可能となる。
【図面の簡単な説明】
【００２３】
【図１】本実施形態の建具の構成を示す正面図である。
【図２】建具の構成を示す概略右断面図である。
【図３】建具の構成を示すＡ−Ａ断面図である。
【図４】建具の構成を示すＢ−Ｂ断面図である。
【図５】建具の構成を示す一部切欠斜視図である。
【図６】建具の別例構成を示す正面図である。
【発明を実施するための形態】
【００２４】
以下、本発明の一実施形態である光源付き建具１（以下、単に「建具１」と称す）について、図１乃至図５に基づいて主に説明する。ここで、図１は本実施形態の建具１の構成を示す正面図であり、図２は建具１の構成を示す概略右断面図であり、図３は建具１の構成を示すＡ−Ａ断面図であり、図４は建具１の構成を示すＢ−Ｂ断面図であり、図５は建具１の構成を示す一部切欠斜視図である。なお、本実施形態において、建具１として、日本の伝統的な家屋に用いられ、部屋と部屋との間を仕切るための「障子」として機能するものについて主に例示を行うものとする。なお、後述する障子紙６については、説明及び図示を簡略化するため、図１乃至図５において適宜図示を省略しているが、実際には枠体２及び組子５の周囲を表裏から被覆するように貼着されている。
【００２５】
本実施形態の建具１は、図１乃至図５に示すように、矩形状に形成された木製の枠体２と、枠体２の内側の枠内空間３を所定の間隔で縦方向に略平行に沿って分割し、合計で六カ所の区画領域４を形成するための６本の組子５と、枠体２及び組子５に貼着される障子紙６と、組子５の組子下端５ａと枠体２の下枠７との間の光源収容空間１４に収容される、枠体２の幅方向に略一致する長さの直管状のＬＥＤ光源９とを主に具備して構成されている。
【００２６】
さらに詳細に説明すると、枠体２は、図１等に示すように、枠体２の互いに平行、かつ水平方向に配された上枠１０及び下枠７と、当該上枠１０及び下枠７の長手方向に直交し、上枠１０及び下枠７のそれぞれ枠端部１０ａ，１０ｂ，７ａ，７ｂの間を連結する左枠１１及び右枠１２を具備して構成されている。ここで、下枠７は、断面四角形状を有し、内部に収容されたＬＥＤ光源９を下方から支持する下枠基部８及び下枠基部８の基部表面８ａから垂設された下枠立設部１３によって構成されている。そのため、下枠基部８及び下枠立設部１３の組合わせは略Ｌ字形状を呈している。加えて、右枠１２（或いは左枠１１）のいずれか一方には、内部に収容されたＬＥＤ光源９に対し、点灯のために必要な電力を外部から供給するための電源コード（図示しない）を挿通するための円形状のコード穴１５が円形状に刳抜いて形成されている。そして、係る電源コードの先端のプラグを家庭用電源のコンセントに挿し込むことによって、建具１の内部に収容されたＬＥＤ光源９に対し、点灯に必要な電力を供給することができる。なお、図示しないが、電源コードの途中或いは電源コードとＬＥＤ光源９との間には、ＬＥＤ光源９の点灯のＯＮ／ＯＦＦの操作をする操作機構、或いは所定時間になったらＯＮ／ＯＦＦを切換えるタイマー機構等の各種点灯制御機構（図示しない）を設けたものであっても構わない。なお、ＬＥＤ光源９及び点灯制御機構等は、従来から周知の機構を応用することが可能であり、ここでは詳細な説明を省略する。
【００２７】
また、枠体２の上枠１０、下枠７、左１１、及び右枠１２の少なくともいずれか一つに壁掛け用のフック（壁掛部材に相当）を取付けたものであってもよい。これにより、本実施形態の建具１を壁に掛けた状態で使用することができ、窓の近傍に設置することにより、カーテンやブラインドとしての機能を発揮させることができ、一方、何もない壁に掛けることによって、室内の間接照明の一部或いはインテリアの一部として用いることが可能となる。
【００２８】
一方、組子５は、枠体２の上枠１０の上枠下面１０ａと下枠７を構成する下枠立設部１３の立設部表面１３ａの間を連結するものである（図１及び図５等参照）。ここで、組子５は、枠体２の幅方向に対して６本が等間隔で均等に配置されている。そのため、枠体２の内側の枠内空間３を左右に七カ所の区画領域４を形成するように分割することができる。ここで、図５に示すように、平板状の下枠立設部１３の立設部表面１３ａに対し、平板状の組子５の組子板表面は直交するように配されている。そのため、下枠立設部１３の板厚さに対し、組子５の奥行き方向が長いため、下部の連結箇所の近傍では組子５の一部が建具１の前面側（図２における紙面左方向に相当）に突出するような状態となっている。
【００２９】
その結果、組子５の組子下端５ａと下枠７の下枠基部８の基部表面８ａとの間に空間が形成されることになる。この空間（光源収容空間１４）に直管状のＬＥＤ光源９を枠体２の幅方向に長手方向を一致させた状態で配することができる。なお、本実施形態の建具１において、直管状の蛍光灯の様な態様のＬＥＤ光源９を用いるものを示したが、ＬＥＤ光源の種類は特に限定されるものではない。そのため、電球型のＬＥＤ光源を係る空間の複数箇所（例えば、各区画領域４毎に一つずつ）にそれぞれ配設するものであっても構わない。また、枠体２の中に所謂「横組子」を用いた場合、本実施形態の建具１のように、下方にのみＬＥＤ光源９を配した場合、横組子の影響によって、上方まで光が届かないことがある。そのため、ＬＥＤ光源９の設置場所は特に限定されるものではなく、上下の少なくともいずれか一つであって、さらに、複数箇所に設けるものであっても構わない。
【００３０】
さらに、枠体２等の前面及び後面（表面及び裏面）等を被覆するように貼着される障子紙６は、和紙から形成されるものを利用することができる。この場合、前面及び後面の周囲（表面及び裏面）を取り囲むようにして貼着される所謂「太鼓貼り」が本実施形態の建具１において採用されている。これにより、組子５及び下枠基部８の間の光源収容空間１４に収容されたＬＥＤ光源９も貼着された障子紙６の内側に存在することとなる。ここで、障子紙６の障子紙表面６ａには、二酸化チタンを主原料とする光触媒物質が塗布されている。
【００３１】
これにより、ＬＥＤ光源９から発せられた光（若しくは太陽光）によるエネルギーによって、光触媒中の光活性成分が基底状態から励起状態にエネルギー遷移することにより、活性化されたイオンが空気中に創成される。そして、係るイオンによって、臭気成分の除去に極めて効果的な作用を奏することができる。その結果、本実施形態の建具１を設置したスペースにおいて、室内の消臭、抗菌処理等の光触媒物質による優れた作用を障子させることができる。さらに、障子紙は、柿渋、漆、墨、胡粉、蝋、及び草木染料等を利用し、和紙に対して装飾加工を施したものを使用することが可能である。これにより、建具１の内部から照射された光が障子紙６を透過する際、装飾された模様によって均一な光が透過するものではなく、模様に起因する不規則な光が透過することになる。その結果、本実施形態の建具１を設置した室内に、装飾による影や光の明暗、或いはゆらぎなど、趣のある光を室内に導入することができる。
【００３２】
次に、本実施形態の建具１の使用方法の一例について説明する。なお、本実施形態の建具１は、枠体２に取付けられたフック（図示しない）を利用して壁に掛けた状態で使用するものを想定している。まず、電気コードの先端のプラグをコンセントに挿込み、建具１に対して電力を供給可能にセットする。そして、点灯制御機構のスイッチを操作し、ＬＥＤ光源９を点灯させる。これにより、枠体２及び障子紙６等に内包されたＬＥＤ光源９から光が照射される。
【００３３】
このとき、障子紙６は、和紙から構成されている光透過性の素材であるため、照射された光を完全に遮蔽するものではなく、和紙を構成する繊維間或いは繊維自体を透過して建具１の外部に光が漏れるようにして透過する。このとき、光源としてＬＥＤを使用しているため、光の照射時であっても白熱電球等を使用した場合に比べ、熱量の発生を極めて微小なものに抑えることができる。そのため、建具１を構成する部材が熱によって変形したり、或いは変色する等の不具合が発生するおそれを回避することができる。
【００３４】
障子紙６を透過して建具１の外部に現れる光は、ＬＥＤ光源９から発せられた直後の光に比べ、特定波長の光がカットされていたり、或いは光の強度が変化している。さらに、障子紙６に設けられた染め等の装飾によって濃淡が微妙に変化していることがある。その結果、係る光によって照らされる室内は趣深いものとなる。
【００３５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３６】
すなわち、本発明の建具において、枠体２、組子５、障子紙６、及びＬＥＤ光源９等からなる構成を建具本体２１ａ，２１ｂとして構成し、互いの建具本体２１ａ，２１ｂの枠体２の一方の左枠１１及び他方の右枠１２をそれぞれ蝶番のような連結部材２２で連結したものを建具２０として構成を有するものであっても構わない（図６参照）。係る構成を採用することにより、室内に設置される屏風のように、互いの建具本体２１ａ，２１ｂの間を所定の角度に曲折し、設置面に対して立設した状態を保って使用することが可能となる。なお、図６においても障子紙６の構成の図示を省略している。
【００３７】
この場合、それぞれのＬＥＤ光源９の間を電気的に接続するコード２３を配し、一方の右枠１２（または左枠１１）から他方の左枠１１（または右枠１２）にそれぞれ設けられたコード穴１５を介して連結する必要がある。さらに、いずれか他方に右枠１２（または左枠１１）にコード穴１５を設け、コンセントまで導くことが可能な構成にする必要がある。なお、建具本体２１の連結は、一対（一連）に限定されるものではなく、二連以上（例えば、六連）のものであっても構わない。係る構成により、収納時には互いに折重なるように畳むことによってコンパクトに収納することができる。
【００３８】
さらに、本実施形態の建具１において、障子紙６として、一般的な和紙を使用するものを示したがこれに限定されるものではなく、光透過性を有し、かつ枠体２等に貼着可能なものであれば、合成繊維を使用した紙、または布帛のようなものを使用するものでもよい。使用する障子紙の種類によって、防炎性等の機能を発揮させることも可能となる。さらに、表面に装飾する模様等と障子紙の素材の種類によって、同じＬＥＤ光源９からの光であっても様々な変化を生じさせることが可能となり、室内のイメージを本発明の建具１によって大きく変更することができる。
【符号の説明】
【００３９】
１，２０  建具（光源付き建具）
２  枠体
３  枠内空間
４  区画領域
５  組子
５ａ  組子下端
６  障子紙
７  下枠
７ａ，７ｂ，１０ａ，１０ｂ  枠端部
８  下枠基部
８ａ  基部表面
９  ＬＥＤ光源
１０  上枠
１１  左枠
１２  右枠
１３  下枠立設部
１３ａ  立設部表面
１４  光源収容空間
１５  コード穴
２１ａ，２１ｂ  建具本体
２２  連結部材
２３  コード
【図１】
2011026833.tif 000003
【図２】
2011026833.tif 000004
【図３】
2011026833.tif 000005
【図４】
2011026833.tif 000006
【図５】
2011026833.tif 000007
【図６】
2011026833.tif 000008